(57)【特許請求の範囲】
【請求項１】
胴を回転可能に収納したハウジング、円周支承面を備えた斜板、実質的に平坦な支承面と摺動面とを有する複数のシュー、および、付勢機構を備えたアキシャルピストン機械で用いるためのリテーナ装置において、
前記リテーナ装置が前記シューの各々に対して付勢されて、以て前記シューの摺動面が前記斜板の円周支承面に対して摺動自在に接触するようになっており、
前記リテーナ装置がシュープレートを具備し、該シュープレートは円周外側部と内側部とを有しており、前記円周外側部は、その一側に設けられた付勢力伝達面と、貫通形成された複数の開口部とを有して成り、前記付勢力伝達面は、前記付勢機構により付勢されることにより概ね平坦な形状となる概ね切頭円錐形状を呈しており、前記付勢機構により付勢されたときに、前記複数のシューの各々の平坦な支承面の実質的に全てに緊密に接触するようにしたリテーナ装置。
【請求項２】
前記シュープレートは概ね円形を呈しており、かつ、外縁を有し、前記シュープレートの厚さは前記外縁から中心部に向けて変化している請求項１に記載のリテーナ装置。
【請求項３】
前記シュープレートが前記外縁において最大厚さを有している請求項２に記載のリテーナ装置。
【請求項４】
前記付勢機構が、前記シュープレートの内側部と緊密に接触する付勢力伝達部材と、前記胴と前記付勢力伝達部材との間に配設されたバネとを具備する請求項３に記載のリテーナ装置。
【発明の詳細な説明】
【０００１】
【発明の属する技術分野】
本発明は、一般的に、油圧ポンプなどのアキシャルピストン機械のリテーナ装置に関し、特に、アキシャルピストン機械に組み込む前に切頭円錐形状を有したリテーナ装置に関する。
【０００２】
【従来の技術】
リテーナ装置は従来周知となっており、主としてアキシャルピストン機械ピストン組立体のシューをシュープレートに対して保持する作用をなす。アキシャルピストン機械に関するよく知られている問題は、シューをシュープレートに接触させて保持したり、シューが斜板に対して傾いたりしないように保持する問題である。この問題を克服するために種々のシュープレートが用いられてきた。広く用いられているシュープレートは、その一側に平坦面を有する円盤に複数の開口部を形成し、そこにシューを受承させる構成となっている。シュープレートの平坦面が各シューの頸部を囲繞すると共に平坦な支承面に接触する。シュープレートを付勢して該シュープレートをシューに対して保持し、以てシューを斜板に対して保持するようにしている。
【０００３】
【発明が解決しようとする課題】
この種のシュープレートに関連する１つの問題は、シュープレートに力が作用すると変形する点である。変形したシュープレートはシューの支承面に均一に接触せずに、シューが傾いてしまう。シューが傾くと、シューと斜板の間の潤滑液膜が破れ、シューと斜板の間のかじりにより決定的な損傷をきたす。
本発明はこうした従来技術の問題を解決することを技術課題としている。
【０００４】
【課題を解決するための手段】
請求項１に記載の本発明は、胴を回転可能に収納したハウジング、円周支承面を備えた斜板、実質的に平坦な支承面と摺動面とを有する複数のシュー、および、付勢機構を備えたアキシャルピストン機械で用いるためのリテーナ装置において、前記リテーナ装置が前記シューの各々に対して付勢されて、以て前記シューの摺動面が前記斜板の円周支承面に対して摺動自在に接触するようになっており、前記リテーナ装置がシュープレートを具備し、該シュープレートは円周外側部と内側部とを有しており、前記円周外側部は、その一側に設けられた付勢力伝達面と、貫通形成された複数の開口部とを有して成り、前記付勢力伝達面は、前記付勢機構により付勢されることにより概ね平坦な形状となる概ね切頭円錐形状を呈しており、前記付勢機構により付勢されたときに、前記複数のシューの各々の平坦な支承面の実質的に全てに緊密に接触するようにしたリテーナ装置を要旨とする。
【０００５】
【発明の実施の形態】
図１、２を参照すると、ピストンポンプなどのアキシャルピストン機械１０が図示されている。ピストンポンプ１０は、ハウジング１２、斜板１４、複数のピストン組立体１６、胴１８、ポートプレート１９、リテーナ装置２０、駆動軸２２を具備する。
【０００６】
ハウジング１２は入口ポート２４、出口ポート２６、中空部２８を有してる。中空部２８内に、内部に斜板１４、複数のピストン組立体１６、胴１８、ポートプレート１９、リテーナ装置２０が収納される。駆動軸２２はハウジング１２内に配設されており、胴１８を駆動するように連結されている。
【０００７】
複数のピストン組立体１６の各々は、ピストン３０、該ピストン３０に回転自在に連結されたシュー３２を含んでいる。ピストン３０の各々は胴１８に形成されたボア３４内に摺動自在に配設されている。シュー３２の各々は、その一側に設けられた頸部３６と、該頸部３６に隣接する支承面３８と、他側に設けられた摺動面４０とを有している。
【０００８】
本実施形態の斜板１４は一側に円周支承面４２を有しており、かつ、シュー３２に対する斜板１４の位置は周知の方法で調節可能となっている。本発明の本質的主題から逸脱することなく、斜板１４の位置を固定することもできる。
【０００９】
胴１８のボア３４の各々は、胴１８が回転すると、ポートプレート１９を介して入口ポート２４、出口ポート２６と連通する。
【００１０】
リテーナ装置２０は、付勢機構４８とシュープレート５０を含んでいる。付勢機構４８は付勢力伝達部材５２を含む。付勢機構４８はシュープレート５０およびバネ５４に接触している。バネ５４は、胴１８と付勢力伝達部材５２との間に配設されている。
【００１１】
シュープレート５０は、内側部５６、円周外側部５８を有している。内側部５６はフランジ６２により形成された通路６０を有している。円周外側部５８は、その一側に付勢力伝達面６４を有し、かつ、貫通する複数の開口部６６が形成されている。開口部６６の各々は、付勢力伝達面６４に関して概ね垂直となっている。
【００１２】
図３、４を参照すると、円周外側部５８は円形をしており外縁６８を有している。組付ける前の状態では、付勢力伝達面は概ね切頭円錐形状を呈している。円周外側部５８の厚さは外縁６８から内側部５６へ向けて変化している。本実施形態では、前記厚さは外縁６８に隣接する部分で最大となっている。円周外側部５８の厚さは概ね同じまたは外縁６８に隣接する部分と同じ厚さとすることができる。
【００１３】
図５は、ハウジング１２内に組付ける前の、各シュー３２の支承面３８に対する付勢力伝達部材５２およびシュープレート５０の付勢力伝達面６４の関係を示している。
図６は、ハウジング１２内に組付けられた各シュー３２の支承面３８に対する付勢力伝達部材５２およびシュープレート５０の付勢力伝達面６４の関係を示している。
【００１４】
組付けに際して、付勢力伝達部材５２を介してバネ５４から力がシュープレート５０の内側部５６に伝達される。力が増加すると、付勢力伝達面６４の形状が切頭円錐形から平坦な形状に変化する。バネ５４の全力がシュープレート５０にかかると、付勢力伝達面６４の形状が概ね平坦となり、各シュー３２の支承面３８の形状に完全に合致する。組付けの間に作用するバネ１４の付勢力は付勢力伝達面６４を平坦にするために使用されるので、シュー３２を斜板１４に対して保持するために必要な力のためにシュープレート５０が変形することがない。従って、シュー３２は斜板１４に対してしっかりと保持され、かつ、シュー３２が傾いたり外れる可能性が実質的に除去される。
【００１５】
既述の説明から、本発明のリテーナ装置２０はシュー３２を斜板１４の円周支承面４２に対して効果的に保持すると共に、シュー３２が斜板１４に対して傾いたり外れたりする傾向が実質的に除去される。
【図面の簡単な説明】
【図１】本発明実施形態に係るアキシャルピストン機械の断面図である。
【図２】図１の矢視線２−２に沿う断面図である。
【図３】シュープレートの平面図である。
【図４】図３の矢視線４−４に沿うシュープレートの断面図である。
【図５】組付ける前のシュープレート、付勢機構、複数のシューの略示図である。
【図６】組付けた後のシュープレート、付勢機構、複数のシューの略示図である。
【符号の説明】
１０…アキシャルピストン機械
１２…ハウジング
１４…斜板
１６…ピストン組立体
１８…胴
２０…リテーナ装置
３２…シュー
３８…シューの支承面
４８…付勢機構
５０…シュープレート
６４…付勢力伝達面
【図１】
0003983866.tif 000002
【図２】
0003983866.tif 000003
【図３】
0003983866.tif 000004
【図４】
0003983866.tif 000005
【図５】
0003983866.tif 000006
【図６】
0003983866.tif 000007